(57)【要約】【目的】  車形検出が正確に行われ、利用客に対し洗車機に対する圧迫感をなくし、安心して利用できる洗車機を提供する。【構成】  前方より洗浄手段１５、１６、乾燥手段１１、１２及び車形検出手段１０をこの順で備えた門型洗車機であって、前記車形検出手段１０による車形検出を車両後方で終了させる車形検出工程と、前記洗浄手段１５、１６による洗浄を車両前方で終了させる洗浄工程と、前記乾燥手段１１、１２による乾燥を車両後方で終了させる乾燥工程とを順次実行させる制御手段を１９備えた洗車機。【選択図】  図２
2005329806.tif 000002
【特許請求の範囲】
【請求項１】
車両を跨ぐように門型に形成された本体と、該本体内の後方に配設された車形検出手段及び乾燥手段と、前方に配設された洗浄手段とからなる洗車機において、
車両後方で前記車形検出手段による車形検出を終了する工程と、車両前方で前記洗浄手段による洗浄を終了する工程と、車両後方で前記乾燥手段による乾燥を終了する工程とを順次実行する制御手段を備えたことを特徴する洗車機。
【発明の詳細な説明】
【技術分野】
【０００１】
本発明は、門型に形成された洗車機本体内に、車両に対して洗車作業を施す洗車処理装置を備え、洗車機本体を車両の前後に移動させ洗車を行う洗車機に関するものである。
【背景技術】
【０００２】
従来より、洗車機本体内の後方に乾燥手段、前方に洗浄手段が配設された洗車機が下記特許文献１に記載されている。また、車両後方で車形検出を終了する工程を持つ洗車機が下記特許文献２に記載されている。
【特許文献１】特開平０８−０７２６７９号公報
【特許文献２】特開２０００−１２７９２０号公報
【発明の開示】
【発明が解決しようとする課題】
【０００３】
しかしながら、前記特許文献１に記載された装置は、車両が一旦洗車機内をくぐり抜けて待機するように構成された洗車機であり、いくら駆動状態にないとは言え、洗浄手段や乾燥手段が車幅及び車高ぎりぎりに配設された中を自走してくぐり抜けるのは抵抗があった。また、自車の前の車両が洗車終了した後、洗車をしようとして直ぐに自車をくぐり抜けさせる場合、洗車機内上部の洗浄手段に残留している液滴が垂れており、自車のフロントガラスに付着して視界が遮られ、その中を自走させることは、やはり抵抗があった。
【０００４】
そして、前記特許文献２に記載された装置では、洗車機を車両に対して前進させ、車形のみを検出する工程が記載されているが、洗車終了後、車両を前方に退車させるドライブスルー方式を採用するには、洗車機を最終的に車両後方で停止させなければならず、洗車機本体内の前方に乾燥手段、後方に洗浄手段が配設された本装置では、洗浄装置に残留している液滴が車両に垂れ落ち、乾燥効率が下がってしまうものであった。
【課題を解決するための手段】
【０００５】
このような課題を解決するために本発明は、車両を跨ぐように門型に形成された本体と、該本体内の後方に配設された車形検出手段及び乾燥手段と、前方に配設された洗浄手段とからなる洗車機において、車両後方で前記車形検出手段による車形検出を終了する工程と、車両前方で前記洗浄手段による洗浄を終了する工程と、車両後方で前記乾燥手段による乾燥を終了する工程とを順次実行する制御手段を備えた洗車機を提供することを要旨とするものである。
【発明の効果】
【０００６】
本発明の装置は以上のように構成されるので、本洗車機をドライブスルー方式に用いることにより、洗車終了後には必ず洗車機が車両後方に位置するようになり、退車も容易で且つ洗車エリアスペースを極力少なくすることができる。また、乾燥手段が洗車機後方に配設されているため、洗浄手段から車両への液垂れが防止でき、乾燥効率の良いものとできる。また、車形検出時には洗浄手段を駆動させないので、冬期に凍結防止のため、洗浄水に温水を使用する場合に発生する湯気の影響を受けず、確実に車形を検出することができ、安全な洗車機とすることができる。また、車両後方より洗浄手段による洗車を開始するため、車内の客に圧迫感を与えることがない。また、車両の洗車待機位置は洗車機前方であるため、洗車機をくぐり抜ける必要がなく、車両自体の自走による抵抗感及び車両対洗車機の接触による破損事故を防止することができる。
【実施例】
【０００７】
以下、図面を基に、本発明の実施例について説明する。図１は本発明の実施例の全体構成図である。図において、１は洗車スペース内に設けられる洗車機で、門型に形成されたフレーム内に、ブラシ，散水ノズル，ブロア等の洗車処理装置を備え、レール２，２上を自動車Ａを跨ぐように往復走行し、自動車Ａの車体を自動的に洗浄，乾燥させる門型洗車機である。なお、ここで洗車スペースとは、少なくともレール２，２により洗車機１が移動可能とされる範囲の空間を指す。洗車機１は、通常レール２，２で与えられる走行範囲の後端部に停止し、この位置から洗車を開始する。レール２，２は、自動車で容易に乗り越えられる高さに設定される。
【０００８】
３は洗車スペース手前の自動車進入口に設置される洗車受付装置で、前面に操作パネルを備え、洗車を希望する客が自動車Ａの運転席に座ったまま、洗車料金の投入や洗車内容の選択入力等を行えるように構成される。４は洗車受付装置３と洗車スペースの間に設置されるゲートで、駐車場などで公知のポールを回動して昇降させるタイプのもので、洗車スペースに対する自動車の進入を禁止または許可する。
【０００９】
１７は進入する自動車を所定位置へ停止させるタイヤ止めで、エアシリンダ等を内蔵し、通常は地面より突出してタイヤ止めとして機能し、自動車Ａの退出時には倒れて自動車Ａが退場できるように動作する。１８はタイヤ止め１７と隣接して設けられる停車位置センサーで、バネ圧により地面に突出した板材がタイヤに踏まれて倒れるのをリミットスイッチ等で検出するもので、自動車がタイヤ止め１７の位置で停止したことを検知する。
【００１０】
図２は、本発明の洗車装置を構成する洗車機の側面図である。図において、５は自動車車体を跨ぐように門型状に形成した洗車機本体で、正転逆転可能な電動機６により、車輪７を回転駆動して、レール２，２に沿って往復走行する。
【００１１】
電動機６の出力軸には、洗車機走行位置を検出するロータリーエンコーダー（図示しない）が連結されており、電動機６の回転方向を検出しながら単位角度回転毎にパルス信号を出力して洗車機本体５の走行位置を与えている。
【００１２】
８は、洗車機位置を検出する洗車機位置センサ−で、洗車機本体５下部に設けられ、レール２敷設面に固定された突起物であるドッグ９を感知してスイッチングし、洗車機本体５の位置を与えている。ドッグ９は洗車機本体５の走行開始位置を与える。
【００１３】
洗車機本体５内部には、自動車の有無および車高を測定するビームセンサー１０、乾燥手段たる上面乾燥ノズル１１と側面乾燥ノズル１２、散水ノズル１３、１４、洗浄手段たる車体上面に沿って上下するトップブラシ１５と車体側面に沿って開閉する左右一対のサイドブラシ１６が、洗車機本体５後方から以上の順で洗車処理装置として収容されており、洗車機本体５の往復走行に伴って、車体の洗浄，乾燥等の処理を行うようになっている。
【００１４】
図３は実施例の制御系を示すブロック図である。１９は洗車機１を制御するマイクロコンピューターで、演算処理を行うＣＰＵ２０、プログラム及び各種データを記憶するメモリ２１、及び入出力インターフェース２２より成り、入出力インターフェース２２にはロータリーエンコーダー、洗車機位置センサー８、車高測定用ビームセンサー１０、電動機６、６、散水ノズル１３、１４、トップブラシ１５、サイドブラシ１６、上面乾燥ノズル１１、側面乾燥ノズル１２、タイヤ止め１７、停車位置センサー１８などが接続される。
【００１５】
２３は洗車受付装置３を制御するマイクロコンピューターで、演算処理を行うＣＰＵ２４、プログラム及び各種データを記憶するメモリ２５、及び入出力インターフェース２６より成り、入出力インターフェース２６には操作パネル、ゲート４などが接続される。
【００１６】
洗車機１のマイクロコンピューター１９と、洗車受付装置３のマイクロコンピューター２３は、例えばＲＳ４８５等のシリアル伝送用のケーブル２７で接続されている。洗車機１のマイクロコンピューター１９は、ケーブル２７を介して、洗車受付装置３のマイクロコンピューター２３より伝送される洗車要求信号に基づき洗車を実行する。洗車受付装置５のマイクロコンピューター２３は、操作パネルにおいて洗車料金の投入や洗車内容の選択入力を受け付け、これに基づいて洗車機１のマイクロコンピューター１９へ洗車要求信号を出力し、また、洗車機１のマイクロコンピューター１９からの終了信号等を検知してゲート４を制御する。
【００１７】
次に洗車動作を説明する。洗車を実行していない状態において、洗車機１は図１に示すようにレール２，２の後端にあり、またタイヤ止め１７は突出して、進入する自動車を所定位置で停車させる状態にある。
【００１８】
ここで、洗車受付装置３から洗車要求信号があれば、その信号から車種，洗車コース，突起物の有無等の洗車内容を読みとり、その内容をチェックして、照合，確認されれば受信信号を返送する。受信確認信号を送信した後に自動車の進入を待ち、タイヤ止め１７で与える所定位置に、自動車が進入したのを停車位置センサー８で確認する。
【００１９】
進入が確認されると、まず洗車機１を前進させ、ビームセンサー１０にて車形を検出する車形検出工程が実行される。この時、洗浄手段は動作しておらず、ビームセンサー１０間に洗浄水が飛散することがないので、車形を確実に検出することができる。
【００２０】
次に、洗車機１を後進させると共に、トップブラシ１５、サイドブラシ１６を回転、散水ノズル１３、１４より水を噴射させて、洗浄工程が実行される。
【００２１】
更に、洗車機１を前進させると共に、上面乾燥ノズル１１、側面乾燥ノズル１２を作動させ、乾燥工程が実行される。
【００２２】
こうして洗車が実行され洗車機１が前記前端位置へ到達し洗車が終わると、タイヤ止め１７を倒して自動車を前進可能とし、停止位置センサー１８において自動車が停止位置から移動したのを検知し、この状態から自動車が洗車エリアから退出するに必要な一定時間継続すると、自動車が退場したと判断して、洗車機１は洗車受付装置３へ洗車終了信号を出力すると共に、洗車機１を洗車エリア後端に移動させ、待機状態とする。
【００２３】
ところで、前記洗車では洗浄工程を水の散水のみとしてあるが、水の代わりに洗剤で洗浄した後、ワックスを噴霧する場合には、前記洗浄工程において洗剤を散水ノズル１３、１４より洗剤を噴射した後、洗車機１を前進させると共に、トップブラシ１５、サイドブラシ１６を回転、、散水ノズル１３、１４より水を噴射して洗剤を洗い流し、更に洗車機１を後進させると共に、トップブラシ１５、サイドブラシ１６を回転、、散水ノズル１３、１４よりワックスを噴射する洗浄工程が実行され、最後に洗車機１を前進させると共に、上面乾燥ノズル１１、側面乾燥ノズル１２を作動させ、乾燥工程が実行される。このように、いずれの場合においても、最終的には洗車機は洗車エリア前端で洗車を終了するようになっている。
【００２４】
なお、本発明は、前記実施例に限定されるものでなく、特許請求の範囲を逸脱することなく、種々の設計変更を行うことができる。例えば洗車機を走行させるレールは、床面に敷設するのでなく、床面を掘り下げた溝にレールを埋設し、床面からの突出をなくして、レールを乗り越えての自動車の退出がさらに容易になるようにしてもよい。
【図面の簡単な説明】
【００２５】
【図１】本発明の一実施例である装置の全体構成図である。
【図２】同装置の洗車機における側面図である。
【図３】同装置のブロック図である。
【符号の説明】
【００２６】
１  洗車機
１０  ビームセンサー
１１  上面乾燥ノズル
１２  側面乾燥ノズル
１５  トップブラシ
１６  サイドブラシ
１９  マイクロコンピュータ
【図１】
2005329806.tif 000003
【図２】
2005329806.tif 000004
【図３】
2005329806.tif 000005